(57)【要約】　　　（修正有）【課題】現在著作物は原著作者（共著を含む）の著作権のみが設定されている。その為、一部が異なる言論を発表するにも一連の著作活動が要求され、同一内容も再記述する必要がある。その為、参照者の作業や保存量も増加する。原著作者が部分著作権を設定した著作物では、著作者との直接的契約がなくても、原著作物の大部分を生かして新たな視点を追加したり、ストーリに新展開を行う著述活動が容易になる。【解決手段】暗号化、差分管理（バージョン管理も含む）を組み合わせ著作権の確定する情報を作り出し登録できるようにする。出版物にその情報を添付したり、国会図書館に登録された情報から部分著作権の付与、獲得を管理する。原著作者の著述を利用しての議論やストーリの展開を世代間や広域での利用が容易になる。【選択図】　　　　図１
2004078707.tif 000002
【特許請求の範囲】
【請求項１】
著作物（電子著作を含む）に於て、以下の情報技術を用い著作物の一部に他者（第二著作者）の著作権を設定し（部分著作権）著作活動を行う方法。
対象となる著作物に暗号技術を用いて認証する。その著作物の一部に第二著作者が追加変更し、その部分を差分を管理するシステムで抽出し、抽出部分を暗号技術で第二著作者のものとして認証し、部分著作権を公に認定できるようにする。
【発明の詳細な説明】
【０００１】
【発明が属する技術分野】
本発明は、暗号技術および著作物のバージョン管理する技術を用い、それらの組み合わせにより著作権を管理するものである。
【０００２】
【従来の技術】
著作物は一つの著作物全体に著作権（複数著作者の場合を含む）が設定されている。学術書の様な論文では、発表者ごとに設定されている。しかし、一論旨の中に個別に著作権を設定することはない（引用は除く）。文学作品でもパロディーとしての利用はあるが、原著作の一部の変更による著作権はない。
【０００３】
原著者との協働なくして、原著作物の大部分を用いて、新しい視点や異なる見方を設定する方法が無かった。そのため殆どの部分が同じであるが、部分的に異なる意見、見方を発表するには、全体の構成、表現方法を新に作成する必要があある。論理の発展等、一部の違いで異なる見解を表現するには別に著作を完成する労力が必要である。参照者に於ても、二つの別の著作を読み、比較検討する必要がある。
【０００４】
【発明が解決しようとする課題】
解決しようとする点は、著作物の一部の変更で新たな論旨や、視点を提供できる著作物の作成に於て、原著作者の著作権をそのまま認めると共に、追加変更部分に第二著作者の権利を認め、両者の権利を確保するとともに、著作の労力、出版物の重複の削減、参照者の労力の削減のために、部分著作権を設定し、第三者が原著作者の著作物を利用できる技術を確立することである。
【０００５】
また、物語に於いてマルチストーリの物語等の作成に、多人数が参加する文学の実現を容易にする。
【０００６】
これらの作者が、個別に交渉することなく、継承して議論、著作を展開することができ、距離と時間を超えた議論、著述を可能にする。
【０００７】
【課題を解決するための手段】
本発明は、著作権が一つの著作物に複数共存させるため、その認証技術及び、部分著作の関連づけをまとめる差分管理技術（バージョン管理機能を含む）を融合させたことを特徴とする。
【０００８】
【発明の実施の形態】
媒体は通常の媒体（紙や電子媒体）でよいが、それに暗号システムと差分管理システムを組み合わせて部分著作権を認定するデータを付加することで実現した。
【０００９】
【実施例】
図１の実施例は、本発明を分散環境で利用する例である。著作権の設定数に技術的制限は無いが、適正数は、著作内容による。　図１の左側が原著作者のシステムであり、縦線の右側が第二著作者のシステムである（ここは、複数の第二著作者が対象となる）。両システムに、同じ管理が出来るシステムを用意するものである。これにより原著作物が出版された以降、必要に応じて並行して追加修正の著作が可能になる。
【００１０】
システムに含まれる機能は、原著作者の通常の著作（作成は、原稿用紙でもコンピュータでも良い）と、暗号処理システム、差分管理システム（バージョン管理も必要に応じて含む）と第二著作者以降の暗号処理システムと差分管理システム（これらは、原著作者のシステムで生成したデータを処理できる機能を持てばよい。実用的には、同じソフトウエア・システムがよい。）とそれらの間でデータを交換できるシステム（郵送、ネットワーク等データの引き渡しができればオフラインでも可）より構成される。
【００１１】
図内の番号は処理の概略の手順を示す。１−１．では暗号化（ここでは、公開鍵方式を想定）の準備として暗号鍵（キー）を生成する。１−２．は通常の著作プロセスとなる。ここで出版形式は、通常の書物、電子出版どちらでもよい。１−３．で著作物を差分管理の出来るシステムに移す（初めからこのシステムを用いた出版も可能）１−４．は著作物が原作成者の物であることを認証するための認証用の暗号化である。１−５．の著作出版にあたり、暗号の公開キーを添付、その他暗号化データを添付したり、ビジネスに必要な情報を添付してもよい。
【００１２】
１−６．は、第二著作者が、何らかの手段（出版物の入手、通信、郵送など）でデータを受け取り、１−７．渡されたデータが原著作者の物であることを暗号の復号化により確認する。１−８．で差分管理システムに渡し、必要な編集を行う。１−９．で差分システムの出力として、送られてきたデータとの差分を抽出する。
【００１３】
１−１１．では抽出したデータを１−１０．で作成した第二著作者の認証用のキーで暗号化する。１−１２．で、原著作者の暗号化したデータ、１−１１．の暗号化したデータと第二著作者の公開キーを添付して、出版用データを作成する。１−１２．のデータを元に１−１３．で出版する。
【００１４】
著作権の設定は、原著作者はその著作によるが、部分著作権を設定を許可することは、著作物に付加するか、国立国会図書館に登録する際に登録しておき、第二著作者が原著作者とは独立に著作権を設定できる等の処置を講じて部分著作権設定出版物であることを示す。
【００１５】
第二著作者は出版した時に、この暗号化された差分データを、原著作者が作成したデータへの変更部分として、国立国会図書館に登録することにより、部分著作権を持った複数人による一つの系統を構成する出版物が登録され、各人が部分著作権を有することが公になる。だだし、適正な管理のためには、各処理ソフトを公開しておく必要がある。
【００１６】
原著作のデータが登録されていれば、以降の追加変更は、差分管理システムにより作成された、差分データの追加のみで、管理できる。
【００１７】
著作権の部分所有による権利の各々の対価については、原著作に記述したり別途契約よるものであるが、第二著作権の適用範囲、対価の配分については、公の合意が必要となる。
【００１８】
図２の実施例は、集中管理方式の例を説明する。この例では、著作権設定の処理を第一著作者に集中させたものである。実施例１との違いは、第一著作者が用意したサーバと第二著作者の間をインターネット等を介してサービスを設定し差分処理、認証暗号化を原著作者が行うものである。
【００１９】
この方式では、暗号化システムと差分管理システムが管理者側にのみ設置されるので、第二著作者の作業が軽減される。２−８．のデータを用いて、出版・登録作業は、第二著作者側で行うことも可能である。（対価の設定は前記に準じる）
【００２０】
実施例１、２とどちらかを選択した著作物への以降の適用方法は、第二著作者の判断で１，２どちらの選択も可能である。（対価の設定は前記同様である）
【００２１】
【発明の効果】
従来の方法では、議論の微小な差を論じる場合に、月間誌や週刊誌等で行われることになり、一度出版したものが、以降どのような論理的発展をしたかを確認するには、別途検索が必要になる。部分的な意見を持っている人がその意見を発表しようとすると、第一著作者と重複する部分の著述についてもエネルギーを割かねばならないが、本方式で、それらを軽減し、議論を連続的に深化させることができる。
差分の登録で管理できるので保存量の削減が可能である。
【００２２】
また、文学などの著作物では、部分的工夫を、積み重ねる新しい文学ジャンルを構成することが容易になる。
【図面の簡単な説明】
【図１】原著作者と第二著作者以降の主要な作業が各々の場所で分散して行われる形態
【図２】原著作者が部分著作権を集中管理する処理（サーバー）方式の例
【符号の説明】
番号は［図番−通番］で処理の概略順を示す。記号説明は各図の「記号説明」に示す。
【図１】
2004078707.tif 000003
【図２】
2004078707.tif 000004